(57)【要約】【課題】  個別の貯湯タンクを設置するスペースを取りにくい集合住宅に従来スペースを利用して貯湯式電気温水器を効率良く設置する。【解決手段】  マンション等の集合住宅の略直方体形状の空間をなすパイプスペース（４）内に、貯湯式電気温水器（１０）を設置する。貯湯式電気温水器の前記貯湯タンク（６）には略円筒形状のもの使用し、パイプ類（２）を、略立方体形状の貯湯タンクをパイプスペース内に設置した際に空き空間となるコーナースペースに配置する。【選択図】  図５
2005315432.tif 000002
【特許請求の範囲】
【請求項１】
マンション等の集合住宅の電力幹線、ガス本管、給水本管、排水本管等のパイプ類（２）を通すとともに各種メーター類を配置するために天井とスラブとの間に形成される略直方体形状の空間をなすパイプスペース（４）内に、貯湯タンク（６）と熱交換器（８）とを有する貯湯式電気温水器（１０）を設置した、ことを特徴とする集合住宅における貯湯式電気温水器の設置構造。
【請求項２】
前記貯湯タンク（６）はその軸方向を上下方向とする略円筒形状を有し、
前記パイプ類（２）は、略立方体形状の貯湯タンクをパイプスペース（４）内に設置した際に空き空間となるコーナースペースに配置される、ことを特徴とする請求項１に記載の集合住宅における貯湯式電気温水器の設置構造。
【請求項３】
前記パイプスペース（４）は住居区画（２１）と共用通路（２３）との境界に形成され、パイプスペースを形成する隔壁は、前面の一面が検針・点検用の開閉扉（１２）、背面および一側面がコンクリート壁（１４）、残りの一側面が該コンクリート壁より厚みが薄い壁板（１６）とから成る、ことを特徴とする請求項１又は２に記載の集合住宅における貯湯式電気温水器の設置構造。
【請求項４】
前記壁板（１６）は薄い金属板からなる、ことを特徴とする請求項２又は３に記載の集合住宅における貯湯式電気温水器の設置構造。
【請求項５】
前記壁板（１６）を開閉自在に構成した、ことを特徴とする請求項２乃至４に記載の集合住宅における貯湯式電気温水器の設置構造。
【請求項６】
前記貯湯式電気温水器（１０）を、前記パイプスペース（４）の外に引き出すためのスライド装置（１８）に載置する、ことを特徴とする請求項１乃至５の集合住宅における貯湯式電気温水器の設置構造。
【発明の詳細な説明】
【技術分野】
【０００１】
本発明は、主としてマンション等の集合住宅に、貯湯タンク内に加熱装置を備えた貯湯式電気温水器を配置するための集合住宅における貯湯式電気温水器の設置構造に関するものである。
【背景技術】
【０００２】
近年、集合住宅などでは火災の発生防止等の観点から、ガス使用設備の使用を避けた電化住宅が増加している。かかる電化住宅では給湯のために電気温水器が使用される。
【０００３】
電気温水器とは、通電することで発熱するニクロム線を銅管に収めた加熱装置、またはニクロム線と銅管の間にアルミナのような熱の伝導体を詰めた加熱装置を、堅牢な断熱構造を有する鋼板製の貯湯タンクの中に設置したもので、給湯されるの温水の温度を、サーモスタットにより一定に維持するようにした装置である。これら貯湯タンク等はその保護のため、直方体のケーシングに収められることが多い。
この電気温水器は、電気料金の安い夜間電力を利用して沸かした温水を貯湯タンクに貯蔵しておき、電気料金の高い昼間の電力を利用することなく貯蔵した温水を使用するものである。
【０００４】
貯湯式電気温水器はその高安全性、低環境負荷、低ランニングコストおよび静粛性から、電化住宅に限らず集合住宅用全般に特に適しているものの、高い昼間の電力の使用を避け安い夜間電力を使用して沸かした温水を使用するために、1日の給湯使用量に充分な貯湯タンクを設けてやることが必須となる。
【０００５】
これまでマンションやアパート等の集合住宅に貯湯式電気温水器を使用する場合には、貯湯式電気温水器を収納するためのスペースを住戸内に独自に設けてやったり、ベランダやバルコニーに貯湯タンクを設置していた。
しかし、住戸内に貯湯式電気温水器用のスペースを設ける場合には居住空間を圧迫し、またベランダ等に貯湯式電気温水器を設置する場合には、給水・給湯のための配管が面倒になるだけでなく、貯湯タンクと台所等の温水の使用場所とが遠いため蛇口を開いてから湯が出てくるまでに時間がかかるといった問題があった。
【０００６】
そこで本願出願人は下記特許文献１において、間仕切り壁（住戸隔壁）等の建材の内部に薄型形状の貯湯タンクを収納して、狭い空間しかない集合住宅でも電気温水器を設置可能とした「貯湯式電気温水器及びこの電気温水器の貯湯方法」を提案している。
【特許文献１】特開２００４−１０１０９８号公報
【発明の開示】
【発明が解決しようとする課題】
【０００７】
この間仕切壁の内部等に貯湯タンクを収納する方法は、温水の使用場所と貯湯タンクとが近いため給湯のレスポンス性に優れているものの、その配管工事が難しく、また、設置スペースの大きさの限界から１日の使用に充分な貯湯量を確保することが困難なこともあった。さらに、特別に製造した専用の薄型形状の貯湯タンクを使用する必要があった。
【０００８】
本発明は上記問題点に鑑みて創案されたものであり、マンション等の集合住宅のように個別の貯湯タンクを設置するスペースを取りにくい住居であっても、従来から広く用いられている貯湯式電気温水器の貯湯タンクを流用してこれを効率良く設置することができる集合住宅における貯湯式電気温水器の設置構造を提供することにある。
【課題を解決するための手段】
【０００９】
本発明によれば、マンション等の集合住宅の電力幹線、ガス本管、給水本管、排水本管等のパイプ類（２）を通すとともに各種メーター類を配置するために天井とスラブとの間に形成される略直方体形状の空間をなすパイプスペース（４）内に、貯湯タンク（６）と熱交換器（８）とを有する貯湯式電気温水器（１０）を設置した、ことを特徴とする集合住宅における貯湯式電気温水器の設置構造が提供される。
【００１０】
ここで、前記貯湯タンク（６）はその軸方向を上下方向とする略円筒形状を有し、前記パイプ類（２）は、略立方体形状の貯湯タンクをパイプスペース（４）内に設置した際に空き空間となるコーナースペースに配置される。
【００１１】
また、  前記パイプスペース（４）は住居区画（２１）と共用通路（２３）との境界に形成され、パイプスペースを形成する隔壁は、前面の一面が検針・点検用の開閉扉（１２）、背面および一側面がコンクリート壁（１４）、残りの一側面が該コンクリート壁より厚みが薄い壁板（１６）とから成る、ことも好ましい。なお、前記壁板（１６）は薄い金属板により構成し、これを開閉自在に構成する、ことも好ましい。
【００１２】
また、前記貯湯式電気温水器（１０）を、前記パイプスペース（４）の外に引き出すためのスライド装置（１８）に載置する、ことも好ましい。
【発明の効果】
【００１３】
請求項1に記載の集合住宅における貯湯式電気温水器の設置構造によれば、これまで有効に利用されていなかったパイプスペース（４）に、貯湯式電気温水器（１０）の側面が複数本のパイプ類（２）や各種メーターに干渉しないようにして格納してやるもので、これにより住居空間を圧迫することなく、集合住宅等に貯湯式電気温水器を設置することが可能となる。
また、ベランダ等に貯湯式電気温水器を設置する場合と比して貯湯式電気温水器を温水の使用場所の近くに設置することができるため、給水・給湯のための配管を短くして蛇口を開いてから湯が出てくるまでのレスポンス時間を短縮することができる。
さらに、ベランダ等に貯湯式電気温水器を設置する場合のように貯湯タンクを保護するためのケーシングを設ける必要がなくなるため、貯湯式電気温水器の小型化および低コスト化を図ることが可能となる。
【００１４】
請求項２に記載の発明によれば、パイプスペース（４）内での貯湯式電気温水器（１０）およびパイプ類（２）の配置を最適化することで、従来から用いられている貯湯式電気温水器の円筒形状の貯湯タンク（６）をそのまま使用することができ、本発明に用いる貯湯式電気温水器の低価格化を達成することが可能となる。
【００１５】
請求項３に記載の発明によれば、隔壁を従来のコンクリート壁をコンクリート壁より厚みが薄い壁板（１６）に置換することで、パイプスペース内の空間を拡大することができ、これによりパイプスペース内でのパイプ類や貯湯式電気温水器、メーター類の配置の自由度を高めることができる。
【００１６】
請求項４に記載の発明によれば、壁板（１６）を金属板により構成することで貯湯式電気温水器（１０）等を外部から遮断することができるとともに、マンション等の集合住宅の構造を簡素化することができる。
【００１７】
請求項５に記載の発明によれば、開閉扉（１２）とともに壁板（１６）をも開閉可能とすることで開口部を広くとることができ、このパイプスペース（４）内のパイプ類（２）や貯湯式電気温水器（１０）の保守点検やメーター類の検針の実施が容易化される。
【００１８】
請求項６に記載の発明によれば、貯湯式電気温水器（１０）をスライド装置（１８）に載置することにより、保守点検や検針のときに、この貯湯式電気温水器全体をパイプスペース（４）の外部に取り出すことができるので、その作業の実施が容易化される。
【発明を実施するための最良の形態】
【００１９】
図１（ａ）および（ｂ）は従来からある集合住宅の構造を示す部分平面図である。一般の集合住宅は、この図に示したように、主として居住者が生活活動を行う住居占有部分となる住居区画２１と、外廊下等の共用通路２３とから成る。これらの住居区画２１の共用通路側には、各階層を上下方向に貫通する給水本管、排水管、電気幹線等の複数本のパイプ類を配置するために、略直方体形状のパイプスペース４（「メータボックス」とも呼ばれる。）が設けられている。このパイプスペース４は、１面が検針・点検用の開閉扉１２、残り３壁面が１５ｃｍ程度の厚さのコンクリート壁１４で形成されている。
【００２０】
図２は、従来の集合住宅のパイプスペース内部の透視斜視図である。パイプスペース４内の空間は、パイプ類等を保守点検する際に作業者がその内部に入る必要があるため、水平方向の幅が８０ｃｍ、奥行きが８０ｃｍ、高さが２ｍ程度の広さを有している。また、パイプ類２が上下に貫通していないパイプスペース４内の空き空間には、ガスメーター３１、電力量メーター３３、水道メーター３５等のメーター類が配置される。なお、ガス給湯方式を採用する集合住宅では、ガス湯沸し機がここに収納されることもある。
【００２１】
本発明はこの集合住宅の各階層を上下方向に貫通する給水本管、電気幹線等の複数本のパイプ類を配置するパイプスペース４に着目したものであり、パイプスペース内に、略円筒形状の貯湯タンクから成る貯湯式電気温水器をも収納したものである。
【実施例１】
【００２２】
以下、本発明の好ましい実施の形態を図面を参照して説明する。図３は図１（ａ）に示したパイプスペースの構造の集合住宅に適用される貯湯式電気温水器の設置構造を示した透視斜視図であり、図４はその側面透視図である。また、図６（ａ）は貯湯式電気温水器を図１（ａ）の住宅構造の集合住宅に設置した状態を示した平面図である。
【００２３】
図１（ａ）に示したように、このパイプスペース４はマンション等の集合住宅の住居区画２１と共用通路２３との間に略直方体形状に形成され、１面が全面開口式の開閉扉１２で、残り３壁面がコンクリート壁１４で形成されている。
また図３および図４に示したように、各階層を上下方向に貫通する共用竪管である電力幹線１９、給水本管２５、排水管２７等の複数本のパイプ類２は、パイプスペース４の奥側の二隅に配置され、その手前側には貯湯式電気温水器１０が長手方向を垂直方向にして配置されている。このパイプスペース４は、従来のパイプスペース４と同様に水平方向の幅が８５ｃｍ、奥行きが８５ｃｍ、高さが２ｍ程度の広さを有している。
【００２４】
この貯湯式電気温水器１０は、昼間から夜間にかけて使用する湯を電気料金の安い深夜電力を利用して加熱して貯蔵する貯湯タンク６と電力によって熱を発生させる加熱器を有する加熱装置（熱交換器８）とが一体となった構造をしている。貯湯タンク６は略円筒形状のもので、４００リットル程度の貯湯容量を有するものであれば直径が６０〜６５ｃｍ、長さ１．５ｍ程度の大きさを有する。そのため、パイプ類を適切に配置してやればパイプスペース４内にこれを収容することができる。
貯湯タンク６の前面には、貯湯式電気温水器１０を制御するためのコントロール部３７が取り付けられるが、このコントロール部３７は比較的単純な電子制御部品であるため、貯湯タンク６から大きく突出することはない。
【００２５】
図３の破線および図４に示したように、貯湯タンク６は、ラーメン構造の直方体形状の鉄骨フレームから構成された台座（スライド装置１８）に載置・固定されており、スラブから２０〜３０ｃｍ程度持ち上げられている。
【００２６】
貯湯タンク６の底部近傍には、給水本管２５から水道水を貯湯タンク６に導入するためのフレキシブル管３９が接続されており、フレキシブル管３９は、使用量の計量を行う水道メーター３５に取り付けられている。また、貯湯タンク６の上端部には、温水を住戸の温水使用設備に供給するためのフレキシブル管が取り付けられており、このフレキシブル管の経路には給湯ポンプ４１が設けられている。さらに、加熱装置には電力を供給するための図示しない電源コードが接続され、電力量メーター３３もパイプスペース内に設置されている。
【００２７】
給水量および電力量の計測を行うメーター類３５，３３およびポンプ類は開閉扉１２の開閉を妨げないように、台座１８によって持ち上げられた貯湯タンク６の下方やパイプスペース上部に配置される。なお、給湯用のフレキシブル管３９は、温水の温度を損失しないように断熱構造を有することが好ましい。
【００２８】
台座１８の底部の四隅には、貯湯式電気温水器１０を開放した開閉扉１２から引き出すために、キャスター４３が備えられている。この台座１８は貯湯式電気温水器１０の引き出し時に、メーター類３５，３３やフレキシブル管３９と接触しないように、下面奥側の一片が欠けた構造となっている。なお、フレキシブル管３９の長さは一定の余裕をもっており、貯湯式電気温水器１０の引き出しを阻害することはない。
【００２９】
また貯湯タンク６の上半側部には、貯湯式電気温水器１０を壁面に設けたフック４５と連結するベルト４７が備えられている。このベルト４７は地震等の災害時などに貯湯式電気温水器１０が倒れることを防止するためのもので、貯湯式電気温水器１０をパイプスペース４から引き出す時以外は壁面のフック４５と連結される。
【００３０】
図６（ａ）に示したように、このような貯湯式電気温水器の設置構造によれば、従来ほとんど有効活用されることのなかったパイプスペースを利用して、住居区画や共用通路の空間に影響を与えずに、貯湯式電気温水器を設置することができる。また、パイプスペースの隔壁をそのままケーシングとして利用することで、これまで必要とされていた貯湯タンクを覆うためのケーシングを不要とすることができ、貯湯式電気温水器を小型化・低廉化することができる。
さらに、貯湯タンクの形状は円筒形状がもっとも効率がよいとされているところ、主として直方体のパイプスペースに円筒形状の貯湯タンクを設置した場合に形成される空きスペースに各種パイプ類を配置することで、狭いスペースに効率良く貯湯式電気温水器を設置することが可能となる。
なお、温水器本体や機器・パイプ等の保守点検は貯湯式電気温水器をパイプスペースから引き出して行われるが、各種メータ−類の検針は通常貯湯式電気温水器をパイプスペース内に設置したままの状態で行われる。
【実施例２】
【００３１】
図５は図１（ｂ）に示したパイプスペース構造の集合住宅に適用することができる貯湯式電気温水器の設置構造を示した透視斜視図であり、図６（ｂ）は貯湯式電気温水器を図１（ｂ）の住宅構造の集合住宅に設置した状態を示した平面図である。
これらの図に示したように、貯湯式電気温水器１０が設置されるパイプスペース４は、前面および玄関側の一側面が全面開口式の開閉扉１２で、残り２壁面がコンクリート壁１４で構成されている。ここで２つの開閉扉１２は両扉が開いたときに大きな一つの開口ができるようにＬ字型に観音開きするようになっている。
なお本実施例では従来コンクリートで形成されていた玄関側の一側面を開閉扉１２としているが、パイプスペース４を形成するコンクリート製の隔壁は集合住宅の耐震強度等に大きな影響を与えるものではないため、強度的な問題は発生しない。
【００３２】
２つの開閉扉１２は、金属性の薄い板材を加工したもので、その厚みは数ｃｍ程度である。これまで１５ｃｍ程度の厚さのコンクリート壁面を使用していた隔壁をこれに置換することで、パイプスペース内部の空間に余裕を持たせることができる。これにより、パイプスペース内部により大きな貯湯式電気温水器１０の設置が可能となり、あるいは、いままでは貯湯式電気温水器の設置が不可能であったパイプスペースにも貯湯式電気温水器の設置をすることができるようになる。さらにメーター類や配管等の自由度が増し、かつ、広い開口を確保することができるため、実施例１のように貯湯式電気温水器を引き出さなくとも、開閉扉１２から温水器本体や機器・パイプ等の保守点検を行いやすくなる。
【００３３】
なお、本実施例においても実施例１と同様に台座に設けたキャスターによって貯湯式電気温水器の引き出しを可能とすることは好ましく、また、いずれか一つの開閉扉の代わりにこれをコンクリート壁より板厚が薄い壁板１６とすることも可能である。ここで壁板１６は、開閉扉と同様に例えば金属板で構成することができるが、パイプスペース内の空間を拡張し、また、貯湯式電気給湯器の安全性を担保することができるものであれば金属板に限定されず、例えば石膏ボードなどの不燃性材料を用いることもできる。
【００３４】
なお、本発明は、貯湯タンクを有する貯湯式電気温水器を、集合住宅のパイプスペース内に効率良く収納設置できる構成であれば、上述した発明の実施の形態に限定されず、本発明の要旨を逸脱しない範囲で種々変更できることは勿論である。
【産業上の利用可能性】
【００３５】
本発明の集合住宅における貯湯式電気温水器の設置構造は、主に鉄筋コンクリート造の集合住宅に利用することができるが、狭小な戸建住宅やエネルギー効率を高めたい戸建住宅等にも利用することができる。
【図面の簡単な説明】
【００３６】
【図１】従来からある集合住宅の構造を示す部分平面図である。
【図２】従来の集合住宅のパイプスペース内部の透視斜視図である。
【図３】図１（ａ）に示したパイプスペース構造に適用される本発明の貯湯式電気温水器の設置構造を示した透視斜視図である。
【図４】図３の側面透視図である。
【図５】図１（ｂ）に示したパイプスペース構造に適用される本発明の貯湯式電気温水器の設置構造を示した透視斜視図である。
【図６】貯湯式電気温水器を図１の住宅構造の集合住宅に設置した状態を示した平面図である。
【符号の説明】
【００３７】
２  パイプ類
４  パイプスペース
６  貯湯タンク
８  熱交換器
１０  貯湯式電気温水器
１２  開閉扉
１４  コンクリート壁
１６  壁板
１８  スライド装置，台座
２１  住居区画
２３  共用通路
２５  給水本管
２７  排水管
２９  電気幹線
３１  ガスメーター
３３  電力量メーター
３５  水道メーター
３７  コントロール部
３９  フレキシブル管
４１  給湯ポンプ
４３  キャスター
４５  フック
４７  ベルト
【図１】
2005315432.tif 000003
【図２】
2005315432.tif 000004
【図３】
2005315432.tif 000005
【図４】
2005315432.tif 000006
【図５】
2005315432.tif 000007
【図６】
2005315432.tif 000008